(57)【要約】【課題】第１基板を有する第１の筐体と第２基板を有する第２の筐体がスライド機構でスライド移動自在に連結された携帯電話機において、第１基板と第２基板とを電気的に接続する短冊形のフレキシブルケーブル自体には特殊な加工をせずに、その耐久性を向上させる。【解決手段】フレキシブルケーブル２０を幅方向から見て略Ｕ字状の折曲部２０ａを保つように折り曲げ、少なくとも一端側の第１の筐体との取付部分である第１取付部の断面形状と、他端側の第２の筐体との第２取付部分との断面形状とが互いに幅方向端部が近付くように湾曲させる。【選択図】図１
2013165459.tif 000002
【特許請求の範囲】
【請求項１】
第１基板を有する第１の筐体と第２基板を有する第２の筐体とが、スライド機構でスライド移動自在に連結されたスライド式携帯端末において、
上記第１基板と上記第２基板とを電気的に接続する短冊形のフレキシブルケーブルは、幅方向から見て略Ｕ字状の折曲部を保つように折り曲げられ、少なくとも一端側の上記第１の筐体との取付部分である第１取付部の断面形状と、他端側の上記第２の筐体との取付部分である第２取付部との断面形状とが湾曲するように取り付けられている
ことを特徴とするスライド式携帯端末。
【請求項２】
請求項１に記載のスライド式携帯端末において、
上記フレキシブルケーブルは、少なくとも一端側の上記第１取付部の断面形状と、他端側の上記第２取付部との断面形状とが互いに幅方向端部が近付くように湾曲している
ことを特徴とするスライド式携帯端末。
【請求項３】
請求項２に記載のスライド式携帯端末において、
上記フレキシブルケーブルの第１取付部及び第２取付部の少なくとも一方は、上記第１の筐体又は第２の筐体に底面の断面が略Ｕ字状に湾曲する凹陥部に取り付けられることで、該フレキシブルケーブルの湾曲した断面形状が保たれている
ことを特徴とするスライド式携帯端末。
【請求項４】
請求項２に記載のスライド式携帯端末において、
上記フレキシブルケーブルの第１取付部及び第２取付部の少なくとも一方は、上記第１の筐体又は第２の筐体に対向するように立設させた一対の規制リブに接するように取り付けられることで、該フレキシブルケーブルの湾曲した断面形状が保たれている
ことを特徴とするスライド式携帯端末。
【請求項５】
請求項２に記載のスライド式携帯端末において、
上記フレキシブルケーブルの第１取付部及び第２取付部の少なくとも一方は、上記第１の筐体又は第２の筐体に断面略Ｕ字状に凹陥させた被係合部と、該被係合部に対応する膨出した形状を有する係合部とで挟み込まれて取り付けられることで、該フレキシブルケーブルの湾曲した断面形状が保たれている
ことを特徴とするスライド式携帯端末。
【請求項６】
請求項２乃至５のいずれか１つに記載のスライド式携帯端末において、
少なくとも上記第１の筐体及び上記第２の筐体の少なくとも一方に、上記フレキシブルケーブルの幅方向中央に沿うように自己吸着性シリコンゴムが貼り付けられている
ことを特徴とするスライド式携帯端末。
【発明の詳細な説明】
【技術分野】
【０００１】
本発明は、スライド式携帯端末に関し、特にそのフレキシブルケーブルの耐久性の改善に関する。
【背景技術】
【０００２】
従来より、第１基板を有する第１の筐体と第２基板を有する第２の筐体とが、スライド機構でスライド移動自在に連結されたスライド式携帯端末は知られている。この種のスライド式携帯端末では、第１基板と第２基板とを電気的に接続する短冊形のフレキシブルケーブルは、幅方向から見て略Ｕ字状の折曲げ部を保つように折り曲げられている。繰り返しスライド操作を行うことで、このフレキシブルケーブルにおいて、特に第１の筐体との第１取付部や第２の筐体との第２取付部の近傍で破損が生じやすくなっている。
【０００３】
そこで、例えば、特許文献１では、折り曲げ状態にて湾曲部を有する湾曲領域と、この湾曲領域を挟んで位置する２つの領域であり折り曲げ状態でも湾曲部を有しない非湾曲領域とを備え、非湾曲領域の少なくとも一方は、スリットを有するようにしている。これにより、フレキシブルケーブルの応力集中部に作用する応力を低減して耐久性を向上させている。
【先行技術文献】
【特許文献】
【０００４】
【特許文献１】特開２００９−２１８４６８号公報
【発明の概要】
【発明が解決しようとする課題】
【０００５】
しかしながら、特許文献１のような特殊な加工を行うフレキシブルケーブルは、コスト、互換性、サイズ等の面で制約があるという問題があった。
【０００６】
本発明は、かかる点に鑑みてなされたものであり、その目的とするところは、フレキシブルケーブル自体には特殊な加工をせずに、その耐久性を向上させることにある。
【課題を解決するための手段】
【０００７】
上記の目的を達成するために、この発明では、携帯端末側の工夫によりフレキシブルケーブルの断面が湾曲するように撓ませるようにした。
【０００８】
具体的には、第１の発明では、第１基板を有する第１の筐体と第２基板を有する第２の筐体とが、スライド機構でスライド移動自在に連結されたスライド式携帯端末を前提とする。
【０００９】
そして、上記スライド式携帯端末では、
上記第１基板と上記第２基板とを電気的に接続する短冊形のフレキシブルケーブルは、幅方向から見て略Ｕ字状の折曲部を保つように折り曲げられ、少なくとも一端側の上記第１の筐体との取付部分である第１取付部の断面形状と、他端側の上記第２の筐体との取付部分である第２取付部との断面形状とが湾曲するように取り付けられている。
【００１０】
上記の構成によると、柔軟性の高いフレキシブルケーブルの少なくとも取付部周辺が、断面を湾曲させるように取り付けられることで断面が直線状のものと比べて剛性が向上する。このため、応力集中が起こりやすい取付部近傍でのフレキシブルケーブルの破損が防止される。
【００１１】
第２の発明では、第１の発明において、
上記フレキシブルケーブルは、少なくとも一端側の上記第１取付部の断面形状と、他端側の上記第２取付部との断面形状とが互いに幅方向端部が近付くように湾曲している。
【００１２】
上記の構成によると、断面が互いに幅方向端部が近付くように湾曲させることで、逆方向に湾曲させる場合に比べて特に折曲部で応力集中が発生しにくく、耐久性が高い。
【００１３】
第３の発明では、第２の発明において、
上記フレキシブルケーブルの第１取付部及び第２取付部の少なくとも一方は、上記第１の筐体又は第２の筐体に底面の断面が略Ｕ字状に湾曲する凹陥部に取り付けられることで、該フレキシブルケーブルの湾曲した断面形状が保たれている。
【００１４】
上記の構成によると、フレキシブルケーブルの第１取付部又は第２取付部が取り付けられる部分を断面略Ｕ字状に凹陥させるだけでフレキシブルケーブルの断面を湾曲させることができ、フレキシブルケーブル自体に加工を加えなくても狭い領域でフレキシブルケーブルの剛性が向上する。
【００１５】
第４の発明では、第２の発明において、
上記フレキシブルケーブルの第１取付部及び第２取付部の少なくとも一方は、上記第１の筐体又は第２の筐体に対向するように立設させた一対の規制リブに接するように取り付けられることで、該フレキシブルケーブルの湾曲した断面形状が保たれている。
【００１６】
上記の構成によると、筐体側に凹部を設けるだけのスペースがない場合でも、一対の規制リブを設けるだけで簡単にフレキシブルケーブルの断面を湾曲させることができる。
【００１７】
第５の発明では、第２の発明において、
上記フレキシブルケーブルの第１取付部及び第２取付部の少なくとも一方は、上記第１の筐体又は第２の筐体に断面略Ｕ字状に凹陥させた被係合部と、該被係合部に対応する膨出した形状を有する係合部とで挟み込まれて取り付けられることで、該フレキシブルケーブルの湾曲した断面形状が保たれている。
【００１８】
上記の構成によると、第１取付部又は第２取付部において、凹凸状の被係合部と係合部とで挟み込むことで特に破損しやすい第１取付部又は第２取付部近傍において容易にフレキシブルケーブルの断面が湾曲形状に保たれる。
【００１９】
第６の発明では、第２乃至第５のいずれか１つの発明において、
少なくとも上記第１の筐体及び上記第２の筐体の少なくとも一方に、上記フレキシブルケーブルの幅方向中央に沿うように自己吸着性シリコンゴムが貼り付けられている。
【００２０】
上記の構成によると、自己吸着性シリコンゴムにフレキシブルケーブルの幅方向中央が貼り付くことで、スライド操作時にフレキシブルケーブルが引っ張られたときに幅方向端部に比べて中央が残ってフレキシブルケーブルの断面が湾曲する。
【発明の効果】
【００２１】
以上説明したように、本発明によれば、フレキシブルケーブルの少なくとも長手方向端部側の取付部近傍において断面を湾曲させるようにしたことにより、フレキシブルケーブル自体には特殊な加工をせずに、その剛性を高めて耐久性を向上させることができる。
【図面の簡単な説明】
【００２２】
【図１】本発明の実施形態１に係るフレキシブルケーブル及びその周辺を模式的に拡大して示す斜視図である。
【図２】閉じた状態のスライド式携帯電話機を示し、（ａ）が正面図で（ｂ）が側面図である。
【図３】第１の筐体を第２の筐体に対してスライド移動させて開いた状態の携帯電話機を示す斜視図である。
【図４】閉じた状態の携帯電話機を正面側から見た分解斜視図である。
【図５】閉じた状態の携帯電話機を背面側から見た分解斜視図である。
【図６】正面側から見た開いた状態でのフレキシブル基板及びスライダーを拡大して示す斜視図である。
【図７】本発明の実施形態２に係る第１規制リブ及びその周辺を拡大して示す斜視図である。
【図８】本発明の実施形態２に係る第２規制リブ及びその周辺を拡大して示す斜視図である。
【図９】その他の実施形態に係る挟持構造を模式的に拡大して示す斜視図である。
【発明を実施するための形態】
【００２３】
以下、本発明の実施形態を図面に基づいて説明する。
【００２４】
（実施形態１）
図２〜図５は、本発明の実施形態１のスライド式携帯端末としての携帯電話機１を示し、この携帯電話機１は、正面側に表示部２を有する矩形板状の第１の筐体３と正面側に操作部４を有する矩形板状の第２の筐体５とが、スライド機構１０でスライド移動自在に連結されている。スライド機構１０は、第１の筐体３の背面側に取り付けられるステンレス鋼板等よりなる補強フレーム１１を備え、この補強フレーム１１は、その幅方向両端に、長手方向に平行に伸びる一対のレール部１２を備えている。補強フレーム１１と表示部２との間には、図示しない第１基板が内蔵されている。スライド機構１０は、これら一対のレール部１２にスライド移動自在に係合され、第２の筐体５に取り付けられる、ステンレス鋼板等よりなるスライダー１３を備えている。このスライダー１３は、第２の筐体５の正面側の操作部４の上側にビス等により固定されるようになっている。スライダー１３の幅方向両端には、各レール部１２に係合する係合部１３ａがそれぞれ折り曲げて形成されている。また、第２の筐体５の内部には、図示しない第２基板、バッテリー等が内蔵されている。
【００２５】
第１基板と第２基板とは、短冊形のフレキシブルケーブル２０によって電気的に接続されている。フレキシブルケーブル２０は、従来より使用されているフレキシブル基板（FPC： Flexible Printed Circuits）でよく、そのポリイミドフィルムなどの基材は、適度な剛性と柔軟性とを備えている。図５に示すように、フレキシブルケーブル２０の一端である第１取付部２０ｂは、補強フレーム１１の第１スリット（図示せず）を通って正面側の第１基板に接続されている。そして、そのスリットの近傍には、底面の断面が湾曲する第１凹陥部２１ａを有する第１規制部２１が貼り付けられている。この第１規制部２１は、例えば樹脂成形品よりなり、補強フレーム１１に両面テープ等により貼り付けられている。なお、この第１凹陥部２１ａは、補強フレーム１１を直接凹陥させて形成してもよい。本実施形態では、第１凹陥部２１ａの長手方向長さは、少なくともフレキシブルケーブル２０が補強フレーム１１側に接触する全範囲を含むものとする。
【００２６】
一方、図４に示すように、フレキシブルケーブル２０の他端側である第２取付部２０ｃは、第２の筐体５のスライダー１３を取り付ける部分に形成した矩形状の第２スリット５ａに挿通されて、第２基板に接続されるようになっている。そして、この第２スリット５ａに嵌め込まれるように、スライダー１３にも矩形状の第２規制部２２が取り付けられている。この第２規制部２２も第１規制部２１と同様に樹脂成形品で形成すればよく、その正面側の底面が湾曲するように凹陥されて第２凹陥部２２ａが形成されている。なお、スライダー１３に第２規制部２２を取り付けるのではなく、直接第２スリット５ａ側の底面を凹陥させてもよい。
【００２７】
そして、図６に示すように、フレキシブルケーブル２０は、各端部を第１基板及び第２基板に接続させた状態で、その幅方向から見て略Ｕ字状の折曲部２０ａを保つように折り曲げられている。
【００２８】
図１及び図６に示すように、フレキシブルケーブル２０は、第１規制部２１及び第２規制部２２に規制されることで、一端側の第１の筐体３との第１取付部２０ｂの断面形状と、他端側の第２の筐体５との第２取付部２０ｃとの断面形状とが互いに幅方向端部が近付くように湾曲している。第１規制部２１及び第２規制部２２がフレキシブルケーブル２０の移動範囲のほぼ全域をカバーしているので、図４に示す閉じ状態から図６に示す開き状態に切り換えられても、断面の湾曲状態は、確実に確保される。
【００２９】
このように構成することで、フレキシブルケーブル２０の断面を確実に湾曲させることができ、フレキシブルケーブル２０自体に加工を加えなくても狭い領域でフレキシブルケーブル２０の剛性が向上する。このため、応力集中が起こりやすい取付部近傍においてフレキシブルケーブル２０が破損することが防止される。
【００３０】
したがって、本実施形態に係る携帯電話機１によると、フレキシブルケーブル２０自体には特殊な加工をせずに耐久性を向上させることができる。
【００３１】
（実施形態２）
図７及び図８は本発明の実施形態２を示し、主に第１規制部２１及び第２規制部２２の構造が異なる点で上記実施形態１と異なる。なお、以下の各実施形態では、図１〜図６と同じ部分については同じ符号を付してその詳細な説明は省略する。
【００３２】
本実施形態では、上記実施形態１の第１規制部２１の代わりに補強フレーム１１の表面の対応する位置の一対の直線状の第１規制リブ１２１が貼り付けられている。この第１規制リブ１２１は、補強フレーム１１がマグネシウム成形品等の場合に、この成形品に一体成形してもよい。この第１規制リブ１２１は、直線状に連続しているが、突起を直線状に離散的に並べてもよい。
【００３３】
そして、これら一対の第１規制リブ１２１間の中央には、直線状に自己吸着性シリコンゴム１２３が貼り付けられている。この自己吸着性シリコンゴム１２３は、自己吸着性の材料であれば、シリコンゴムに限定されない。例えば、フレキシブルケーブル２０の幅１０ｍｍに対し、自己吸着性シリコンゴム１２３の幅を１ｍｍ、厚さ０．２ｍｍ程度とすればよい。
【００３４】
一方、図８に示すように、第２の筐体５側では、第２スリット５ａの幅方向両端に沿って上記第１規制リブ１２１と同形状の第２規制リブ１２２がそれぞれ貼り付けられている。この第２規制リブ１２２も、第２の筐体５に一体成形してもよく、突起を直線状に離散的に並べて形成してもよい。同様に一対の第２規制リブ１２２間の中央には、直線状に自己吸着性シリコンゴム１２３が貼り付けられている。
【００３５】
フレキシブルケーブル２０の第１取付部２０ｂ及び第２取付部２０ｃは、それぞれ、第１の筐体３に対向するように立設させた一対の第１規制リブ１２１又は第２の筐体５に対向するように立設させた一対の第２規制リブ１２２に接するように取り付けられることで、フレキシブルケーブル２０の断面形状がほぼ全体として湾曲した状態に保たれている。
【００３６】
このように、第１の筐体３又は第２の筐体５側に凹部を設けるだけのスペースがない場合でも、一対の第１規制リブ１２１又は一対の第２規制リブ１２２を設け、その中央に自己吸着性シリコンゴム１２３を貼り付け、フレキシブルケーブル２０の幅方向中央を自己吸着性シリコンゴム１２３に吸着させることで、スライド操作時のいずれの状態でも、フレキシブルケーブル２０の幅方向端部に比べて中央が吸着されてその断面が湾曲する。
【００３７】
したがって、本実施形態においても、フレキシブルケーブル２０自体には特殊な加工をせずに、その剛性を高めて耐久性を向上させることができる。
【００３８】
なお、本実施形態において、一対の第１規制リブ１２１又は一対の第２規制リブ１２２を設けずに自己吸着性シリコンゴム１２３のみで構成してもよい。逆に自己吸着性シリコンゴム１２３なしで、一対の第１規制リブ１２１又は一対の第２規制リブ１２２のみを設けたりしてもよい。その場合には、第１規制リブ１２１又は一対の第２規制リブ１２２の断面は、フレキシブルケーブル２０の湾曲断面に沿うように湾曲させた断面としてもよい。またさらには、第１の筐体３及び第２の筐体５のいずれか一方側にのみ上記構成を設けてもよい。
【００３９】
（その他の実施形態）
本発明は、上記実施形態について、以下のような構成としてもよい。
【００４０】
すなわち、上記実施形態では、フレキシブルケーブル２０の断面が互いに幅方向端部が近付くように湾曲させているが、逆方向に湾曲させてもよい。しかし、この場合は、上記各実施形態に比べると特に折曲部２０ａで応力集中が発生しやすくなる点で不利である。
【００４１】
上記各実施形態で説明したように、第１規制部２１、一対の第１規制リブ１２１及び自己吸着性シリコンゴム１２３の貼り付ける範囲は、少なくともフレキシブルケーブル２０の接触する範囲を占めていればよいが、さらに長手方向両端をそれよりも長く延ばして見映えをよくしてもよい。
【００４２】
また、図９に示すように、フレキシブルケーブル２０の第１取付部２０ｂ及び第２取付部２０ｃの少なくとも一方において、第１の筐体３又は第２の筐体５に断面略Ｕ字状に凹陥させた被係合部２２１を設け、この被係合部２２１に対応する膨出した形状を有する係合部２２２（図７にのみ示す）と、被係合部２２１とでフレキシブルケーブル２０の端部近傍を挟み込むようにしてもよい。このように凹凸状の被係合部２２１と係合部２２２とでフレキシブルケーブル２０の端部近傍を挟み込むことで特に破損しやすい第１取付部２０ｂ又は第２取付部２０ｃ近傍において容易にフレキシブルケーブル２０の断面を湾曲形状に保つことができる。フレキシブルケーブル２０の湾曲部分は、端部近傍のみを湾曲させても広い範囲で湾曲部分を保つことができるので、この挟持構造のみを設けてもよいし、上記各実施形態と組み合わせてもよい。
【００４３】
上記実施形態では、スライド式携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等のスライド機構及びフレキシブルケーブルを有するものであってもよい。
【００４４】
なお、以上の実施形態は、本質的に好ましい例示であって、本発明、その適用物や用途の範囲を制限することを意図するものではない。
【符号の説明】
【００４５】
１      携帯電話機（スライド式携帯端末）
２      表示部
３      第１の筐体
４      操作部
５      第２の筐体
５ａ    第２スリット
１０      スライド機構
１１      補強フレーム
１２      レール部
１３      スライダー
１３ａ    係合部
２０      フレキシブルケーブル
２０ａ    折曲部
２１      第１規制部
２１ａ    第１凹陥部
２２      第２規制部
２２ａ    第２凹陥部
１２１      第１規制リブ
１２２      第２規制リブ
１２３      自己吸着性シリコンゴム
２２１      被係合部
２２２      係合部
【図１】
2013165459.tif 000003
【図２】
2013165459.tif 000004
【図３】
2013165459.tif 000005
【図４】
2013165459.tif 000006
【図５】
2013165459.tif 000007
【図６】
2013165459.tif 000008
【図７】
2013165459.tif 000009
【図８】
2013165459.tif 000010
【図９】
2013165459.tif 000011